(57)【要約】【課題】操作が簡単で安価な構成により、収集場所や排出事業者、塵芥の質量等を簡潔且つ正確に記憶する。【解決手段】塵芥収集車２の荷箱５の質量を計測するロードセル１０（質量計測器）に接続した車内指示計１１によって、投入された塵芥の質量を計量する。車内指示計１１（車内計量装置）は、ロードセル１０で計測された値から投入された荷箱５の質量を削除する風袋引き操作と、荷箱５に投入された塵芥の質量をロードセル１０により計量する計量操作とを行えるようにする。車内指示計１１に、風袋引き操作及び計量操作を指示可能で、車内指示計１１の計量データと、収集場所又は排出事業者の情報よりなる顧客データと、塵芥の種類の情報よりなるごみ種データとを記憶可能なタッチパネル１３を接続する。【選択図】図１
2010076927.tif 000002
【特許請求の範囲】
【請求項１】
塵芥収集車の荷箱の質量を計測する質量計測器を備え、該質量計測器に接続された車内計量装置によって、投入された塵芥の質量を計量する塵芥計量システムであって、
上記車内計量装置は、
上記質量計測器で計測された値から上記荷箱の質量を削除する風袋引き操作と、
上記質量計測器により上記荷箱に投入された塵芥の質量を計量する計量操作と、
が行えるように構成され、
上記車内計量装置には、計量データと、収集場所又は排出事業者の情報よりなる顧客データと、塵芥の種類の情報よりなる塵芥種別データとを記憶可能なタッチパネルが接続されている
ことを特徴とする塵芥計量システム。
【請求項２】
請求項１に記載の塵芥計量システムにおいて、
上記車内計量装置は、車内指示計であり、上記タッチパネルは、該車内指示計に風袋引き操作及び計量操作を指示可能に構成されている
ことを特徴とする塵芥計量システム。
【請求項３】
請求項１又は２に記載の塵芥計量システムにおいて、
塵芥の質量の計量形態として、予め登録されたルート別に計量して上記タッチパネルに記憶させるルート収集計量と、予め登録された収集場所又は排出事業者別に計量して上記タッチパネルに記憶させる登録顧客計量とを備え、
上記いずれか１つの計量形態を上記タッチパネル上で選択可能に構成されている
ことを特徴とする塵芥計量システム。
【請求項４】
請求項１乃至３のいずれか１つに記載の塵芥計量システムにおいて、
上記タッチパネルには、該タッチパネルに記憶されたデータのうち、少なくとも収集場所又は排出事業者及び塵芥質量のデータを印刷可能な印刷機が接続されている
ことを特徴とする塵芥計量システム。
【請求項５】
請求項１乃至４のいずれか１つに記載の塵芥計量システムにおいて、
上記塵芥収集車の荷箱は、複数の収容部に区画され、
塵芥種別に応じて上記各収容部に塵芥を収納可能に構成され、
上記タッチパネルは、さらに塵芥種別を登録可能に構成されている
ことを特徴とする塵芥計量システム。
【請求項６】
請求項１乃至５のいずれか１つに記載の塵芥計量システムにおいて、
上記タッチパネルによって、該タッチパネルに記憶された顧客データ及び塵芥種別の検索が可能に構成されている
ことを特徴とする塵芥計量システム。
【請求項７】
塵芥収集車の後端に質量計測器を備え、該質量計測器に接続された車内の車内計量装置によって、該質量計測器上の容器内の塵芥の質量を計量する塵芥計量システムであって、
上記車内計量装置は、
上記質量計測器で計測された値から上記容器の質量を削除する風袋引き操作と、
上記質量計測器により上記容器に投入された塵芥の質量を計量する計量操作と、
が行えるように構成され、
上記車内計量装置には、計量データと、収集場所又は排出事業者の情報よりなる顧客データと、塵芥の種類の情報よりなる塵芥種別データとを記憶可能なタッチパネルが接続されている
ことを特徴とする塵芥計量システム。
【発明の詳細な説明】
【技術分野】
【０００１】
本発明は、塵芥収集車の荷箱に投入された塵芥の質量を計測する塵芥計量システムに関するものである。
【背景技術】
【０００２】
従来より、塵芥収集車の収容部の質量を計量するロードセルを備え、収集場所毎にロードセルの値をリセットして収集した塵芥の質量を計測する塵芥計量システムは知られている。このシステムにより、排出事業者等から排出されたリサイクル不可能な塵芥に対してその質量に応じた費用を請求したり、リサイクル可能な塵芥を収集した場合には、その質量に応じた費用を支払ったりすることが可能となる。
【０００３】
例えば、特許文献１及び２では、塵芥収集車のコンテナ反転装置にロードセルを設け、このロードセルにより廃物コンテナの収容物の廃棄前と廃棄後との質量差により収集した塵芥の質量を算出する塵芥計量システムが知られている。この塵芥計量システムでは、廃物コンテナに設けられたＩＣタグから廃物コンテナのＩＤ情報及び標準空容器質量データを得ると共に、計量された正味塵芥収集質量をＩＣタグ及びハンディーターミナルに記憶するようにしている。
【特許文献１】特開平７−２０９０６３号公報
【特許文献２】特許第３１０２６１６号明細書
【発明の開示】
【発明が解決しようとする課題】
【０００４】
しかしながら、計量データを記憶するためのハンディーターミナルは、無線機能や印刷機能を設けると、製造コストがかかり、また携帯性を確保するために画面が小さいので、操作がしにくいと感じることもある。
【０００５】
本発明は、かかる点に鑑みてなされたものであり、その目的とするところは、操作が簡単で安価な構成により、収集場所や排出事業者、塵芥の質量等を簡潔且つ正確に記憶することにある。
【課題を解決するための手段】
【０００６】
上記の目的を達成するために、この発明では、記憶機能と操作機能と表示機能とを併せ持つタッチパネルを設けた。
【０００７】
具体的には、第１の発明では、塵芥収集車の荷箱の質量を計測する質量計測器を備え、該質量計測器に接続された車内計量装置によって、投入された塵芥の質量を計量する塵芥計量システムを対象とする。
【０００８】
上記車内計量装置は、
上記質量計測器で計測された値から上記荷箱の質量を削除する風袋引き操作と、
上記質量計測器により上記荷箱に投入された塵芥の質量を計量する計量操作と、
が行えるように構成され、
上記車内計量装置には、計量データと、収集場所又は排出事業者の情報よりなる顧客データと、塵芥の種類の情報よりなる塵芥種別データとを記憶可能なタッチパネルが接続されている。
【０００９】
上記の構成によると、計量データと、顧客データと、塵芥種別データとをタッチパネルに記憶できる。このため、従来のように無線機能を備えた高価なハンディーターミナルを設ける必要がなく、さらにハンディーターミナルに比べて大きな画面を見ながら、その画面に直接触れて操作できるので、操作性がよい。
【００１０】
第２の発明では、第１の発明において、
上記車内計量装置は、車内指示計であり、上記タッチパネルは、該車内指示計に風袋引き操作及び計量操作を指示可能に構成されている。
【００１１】
上記の構成によると、タッチパネルを荷箱の投入口近傍などの操作しやすい位置に設けておけば、車内指示計を直接操作しなくても、車内指示計に接続されたタッチパネルを操作することにより、風袋引き操作及び計量操作を行える。
【００１２】
第３の発明では、第１又は第２の発明において、
塵芥の質量の計量形態として、予め登録されたルート別に計量して上記タッチパネルに記憶させるルート収集計量と、予め登録された収集場所又は排出事業者別に計量して上記タッチパネルに記憶させる登録顧客計量とを備え、
上記いずれか１つの計量形態を上記タッチパネル上で選択可能に構成されている。
【００１３】
すなわち、収集された塵芥の質量から排出事業者等に課金又は支払いを行うため、収集場所や排出事業者毎に、収集場所や排出事業者、塵芥の質量等を記憶する必要があるが、上記の構成によると、２つの計量形態を選択可能に構成し、各計量形態で収集の度にインプットする必要のない固定の項目が予めタッチパネルに登録されているので、その項目については、改めて入力することなく、実測された塵芥の質量などが新たに記憶される。したがって、煩雑な入力作業を行うことなく、収集場所や排出事業者、塵芥の質量等が簡潔且つ正確に記憶される。
【００１４】
第４の発明では、第１乃至第３のいずれか１つの発明において、
上記タッチパネルには、該タッチパネルに記憶されたデータのうち、少なくとも収集場所又は排出事業者及び塵芥質量のデータを印刷可能な印刷機が接続されている。
【００１５】
上記の構成によると、塵芥の収集時に排出事業者、塵芥質量等が印刷されたものが排出事業者に手渡され、又は確認の署名が行われる。
【００１６】
第５の発明では、第１乃至第４のいずれか１つの発明において、
上記塵芥収集車の荷箱は、複数の収容部に区画され、
塵芥種別に応じて上記各収容部に塵芥を収納可能に構成され、
上記タッチパネルは、さらに塵芥種別を登録可能に構成されている。
【００１７】
上記の構成によると、１台の塵芥収集車で複数の塵芥種別の塵芥が収集可能となり、タッチパネルに登録した塵芥種別毎の塵芥の質量から、塵芥種別毎に課金又は支払いが行われる。
【００１８】
第６の発明では、第１乃至第５のいずれか１つの発明において、
上記タッチパネルによって、該タッチパネルに記憶された顧客データ及び塵芥種別の検索が可能に構成されている。
【００１９】
上記の構成によると、記憶されたデータより検索して選択するだけでよいので、その場で文字入力する手間が省け、また、選択したデータで計量結果が記録されるので、操作が極めて簡単である。
【００２０】
第７の発明では、塵芥収集車の後端に質量計測器を備え、該質量計測器に接続された車内計量装置によって、該質量計測器上の容器内の塵芥の質量を計量する塵芥計量システムを対象とし、
上記車内計量装置は、
上記質量計測器で計測された値から上記容器の質量を削除する風袋引き操作と、
上記質量計測器により上記容器に投入された塵芥の質量を計量する計量操作と、
が行えるように構成され、
上記車内計量装置には、計量データと、収集場所又は排出事業者の情報よりなる顧客データと、塵芥の種類の情報よりなる塵芥種別データとを記憶可能なタッチパネルが接続されている。
【００２１】
上記の構成によると、塵芥収集車の後端に設けた質量計測器で容器ごとの質量が計測でき、また、計量データと、顧客データと、塵芥種別データとをタッチパネルに記憶できる。このため、従来のように無線機能を備えた高価なハンディーターミナルを設ける必要がなく、さらにハンディーターミナルに比べて大きな画面を見ながら、その画面に直接触れて操作できるので、操作性がよい。
【発明の効果】
【００２２】
以上説明したように、本発明によれば、車内計量装置にタッチパネルを接続し、車内計量装置に風袋引き操作及び計量操作を指示できるようにすると共に、車内計量装置の計量データと、顧客データと、塵芥種別データとを記憶できるようにしたことにより、簡単で安価な構成で収集場所や排出事業者、塵芥の質量等を簡潔且つ正確に記憶することができる。
【発明を実施するための最良の形態】
【００２３】
以下、本発明の実施形態を図面に基づいて説明する。
【００２４】
図１に本発明の実施形態にかかる塵芥計量システム１の概要図を示す。この塵芥計量システム１を構成する塵芥収集車２は、走行体３の前方に運転室４を有し、この運転室４の後方に収集した塵芥を収納するための荷箱５を備えている。この荷箱５の後方には、塵芥投入ホッパ６が設けられ、この塵芥投入ホッパ６から収集した塵芥が荷箱５内に押し込まれるようになっている。
【００２５】
上記荷箱５の下端の四隅には、質量計測器としてのロードセル１０がそれぞれ設けられている。このロードセル１０により、荷箱５自体の質量及び塵芥投入ホッパ６の質量、荷箱５に収集された塵芥の質量が計測されるようになっている。各ロードセル１０により得られた質量データは、上記運転室４に設けた車内計量装置としての車内指示計１１に送られて合算される。この車内指示計１１は、内部表示器１１ａ及び内部操作器１１ｂを備えている。内部表示器１１ａには、収集された塵芥の質量が表示されるようになっている。内部操作器１１ｂは、計量値をリセットする零点リセット操作と、ロードセル１０で計測された値から荷箱５及び塵芥投入ホッパ６自体の質量を削除する風袋引き操作と、風袋引きされた後に荷箱５及び塵芥投入ホッパ６に収集された塵芥の質量をロードセル１０から計量する計量操作と、計量結果の合計を計算する合計操作とが行えるように構成されている。また、内部操作器１１ｂから顧客コードを入力可能に構成されている。車内指示計１１は、計量結果を蓄積して記憶する機能を有してはおらず、その代わりにその場で顧客コードと、計量結果とをレシート印字する機能を有している。なお、車内計量装置は、車内指示計以外でもよく、ロードセル１０で計測された値から上記荷箱５の質量を削除する風袋引き操作が可能なコントローラであればなんでもよい。
【００２６】
詳細は図示しないが、上記塵芥収集車２の荷箱５は、複数の収容部に区画し、塵芥種別（ごみ種別、以下、図面上では塵芥のことをごみと示す）に応じて各収容部に塵芥を収納可能に構成してもよい。例えば、収容部として、荷箱５の上部にカン、ダンボールを収集用のかごを設けてもよい。このことで、リサイクルが容易となると共に、ごみ種別毎の課金又は支払い等の後処理をさらに容易に行うことができる。
【００２７】
上記塵芥投入ホッパ６には、塵芥投入ホッパ６の操作を行う外部コントローラ１２が設けられている。この外部コントローラ１２とは別に塵芥投入ホッパ６には、タッチパネル１３が設けられている。図２に示すように、このタッチパネル１３は、矩形板状のもので、側面にＵＳＢ接続端子１３ａ、２つの外部端子１３ｂ、電源端子１３ｃを有している。塵芥計量システム１は、印刷機としてのプリンタ１５を備えている。電源端子１３ｃには、塵芥収集車２のバッテリーから電源コード（共に図示せず）が接続される。通常作業時には、ＵＳＢ接続端子１３ａには記憶媒体としてのＵＳＢメモリ１４が接続されている。なお、記憶媒体は、ＵＳＢメモリ１４の他にフラッシュメモリ型メモリーカード、ＳＤメモリカードなどでもよい。外部端子１３ｂの一方がプリンタ１５が接続され、他方に信号線１６等により車内指示計１１にが接続されている。ＵＳＢメモリ１４を取り外して持ち帰り、事務所等に設置した情報端末としてのパソコン２０に接続することでデータ転送が行われ、計量に必要な顧客情報などもパソコン２０に登録されている最新のデータがＵＳＢメモリ１４へ自動的に登録される。なお、タッチパネル１３自体に印刷機能を設けて計量レシートを印刷可能に構成してもよい。プリンタ１５は、運転室４内に設置して常時タッチパネル１３に接続していてもよいし、携帯用のものを印刷時にのみ接続するようにしてもよい。
【００２８】
塵芥計量システム１は、塵芥の質量の計量形態として、予め登録されたルート別に計量してＵＳＢメモリ１４に記憶させるルート収集計量と、予め登録された収集場所又は排出事業者別に計量してＵＳＢメモリ１４に記憶させる登録顧客計量とを備え、これらいずれか１つの計量形態を選択可能に構成されている。
【００２９】
−塵芥計量システムの作動−
次に、本実施形態にかかる塵芥計量システム１の作動について図面を用いて説明する。
【００３０】
＜事務所での準備作業＞
事務所のパソコン２０には、顧客毎の計量データを編集するためのデータ管理ソフトがインストールされている。データ管理ソフトに登録する内容としては、例えば、顧客コード、ごみ種別コード、計量日付、計量時間、正味質量、風袋質量、総質量の７種類がある。これらのデータが例えばカンマにより列挙されたデータ列の状態でパソコン２０内又はパソコン２０に接続されたサーバ（図示せず）に保存される。
【００３１】
ルート収集計量用に、予め塵芥収集車２が塵芥を収集に向かうルート毎に、収集の度に新たにインプットする必要のない固定の項目である、収集に向かう排出事業者の順番に排出事業者、ごみ種別をデータ管理ソフトを用いて登録し保存しておく。
【００３２】
また、登録顧客計量用に、予め顧客情報として、収集の度に新たにインプットする必要のない固定の項目である、排出事業者、ごみ種別をデータ管理ソフトを用いて登録し保存しておく。
【００３３】
そして、塵芥収集車２が収集に向かう前に、その日に収集に向かう予定の顧客の予め登録されたデータをＵＳＢメモリ１４内に転送し、そのＵＳＢメモリ１４をタッチパネル１３に接続しておく。
【００３４】
＜計量操作画面Ａ＞
図３に示すように、タッチパネル１３の初期画面では、計量操作画面Ａが表示される。計量操作画面Ａは、ルート収集計量に対応し、日時、車両番号、顧客名表示ａ１、ごみ種表示ａ２、正味質量ａ３及び総質量表示ａ４と、風袋引きボタンａ５と、計量ボタンａ６と、計量履歴ボタンａ７と、メニューボタンａ８と、新規ボタンａ９とが現れる。顧客名表示ａ１に触れると、顧客選択画面Ｂに移る。ごみ種表示ａ２に触れると、ごみ種選択画面Ｃに移る。
【００３５】
また、風袋引きボタンａ５に触れると、車内指示計１１に信号が送られて風袋引き操作をする。つまり、ロードセル１０から送られてくる質量データから荷箱５及び塵芥投入ホッパ６の質量を減算して、車内指示計１１がリセットされる。
【００３６】
計量ボタンａ６に触れると、車内指示計１１が計量操作をする。通常、風袋引きした後、塵芥を収集して、塵芥投入ホッパ６から投入し、計量を行う。計量結果は、車内指示計１１からタッチパネル１３に送られ、ＵＳＢメモリ１４に予め登録されたデータと共に、カンマで区切られた状態で記憶される。このようにして、ＵＳＢメモリ１４に順次顧客毎に整形された計量データが蓄積される。
【００３７】
計量履歴ボタンａ７に触れると、計量履歴表示画面Ｅに移る。メニューボタンａ８に触れると、メニュー画面Ｇに移る。新規ボタンａ９に触れると、新規の顧客と言うことで、顧客名表示ａ１が新規顧客と表示され、新規顧客として計量データがＵＳＢメモリ１４に蓄積される。
【００３８】
＜顧客選択画面Ｂ＞
図４に示すように、顧客選択期画面Ｂでは、収集場所又は排出事業者の顧客コード及び顧客名ｂ１が一覧で表示される。顧客コード及び顧客名は、ＵＳＢメモリ１４内の顧客データより例えば、６件ずつ読み出される。６件としたのは、表示ボタンの押しやすさなどの操作性の向上や読み出し時間を短くするためである。一覧から該当する顧客名ｂ１に触れると、画面が変わって顧客名が表示されると共に、風引きするかを聞いてくる。ＹＥＳを選択すると、車内指示計１１が風袋引き操作して、計量操作画面Ａに戻り、顧客名が表示される。ＮＯを選択すると風引きせずに、顧客選択期画面Ｂ又は計量操作画面Ａに戻る。一覧に顧客名がないときには、送りボタンｂ２を押して次ページ又は前ページに移動し、別の顧客コード及び顧客名が表示される。検索ボタンｂ３に触れると、顧客検索画面Ｄに移動する。戻るボタンｂ４に触れると、計量操作画面Ａに戻る。
【００３９】
＜ごみ種選択画面Ｃ＞
図５に示すように、ごみ種選択画面Ｃでは、ＵＳＢメモリ１４から読み出されたごみ種データが一覧として例えば左右６件ずつ合計１２件表示される。画面上のごみ種データｃ１に触れると、画面が変わってごみ種が表示されると共に、計量するかを聞いてくる。ＹＥＳを選択すると、車内指示計１１が計量操作をし、計量操作画面Ａに戻る。ＮＯを選択すると計量操作をせずに、ごみ種選択画面Ｃ又は計量操作画面Ａに戻る。一覧にごみ種がないときには、送りボタンｃ２を押して次ページ又は前ページに移動すると、別のごみ種が表示される。検索ボタンｃ３に触れると、ごみ種検索画面（図示せず）に移動し、ＵＳＢメモリ１４に記憶された約１００種類のごみ種から選択をする。戻るボタンｃ４に触れると、計量操作画面Ａに戻る。
【００４０】
＜顧客検索画面Ｄ＞
図６に示すように、検索画面Ｄでは、エリアボタンｄ１と五十音ボタンｄ２と検索開始ボタンｄ３と戻るボタンｄ４とが表示される。エリアボタンｄ１を押すと、表示エリアｄ５にＵＳＢメモリ１４から読み出されたエリアの一覧が表示される。該当するエリアを選択し、検索開始ボタンｄ３を押すと、ＵＳＢメモリ１４内に保存されたデータの中から検索が開始される。検索結果から該当する顧客を選択すると、計量操作画面Ａに戻って検索結果が反映される。同様に五十音ボタンｄ２を押すと、表示エリアｄ５に五十音キーが表示される。該当する頭文字を選択し、検索開始ボタンｄ３を押すと、検索が開始される。検索結果から該当する顧客を選択すると、計量操作画面Ａに戻って検索結果が反映される。戻るボタンｄ４に触れると、顧客選択画面Ｂに戻る。
【００４１】
＜計量履歴表示画面Ｅ＞
図７（ａ）に示すように、計量履歴表示Ｅでは、ＵＳＢメモリ１４から読み出された計量データが一覧として例えば６件表示される。表示されるのはその日のものに限定され、顧客名、ごみ種、正味質量、総質量が表示される。矢印ボタンｅ２に触れると、右にスクロールされ、残りのデータである収集時刻が表示される。画面上の顧客名ｅ１に触れると、編集画面Ｆに移る。一覧に該当する顧客名がないときには、送りボタンｅ３を押して次ページ又は前ページに移動すると、別の顧客の計量データが表示される。戻るボタンｅ４に触れると、計量操作画面Ａに戻る。
【００４２】
＜編集画面Ｆ＞
図８に示すように、編集画面Ｆでは、選択した顧客の顧客名、ごみ種、正味質量、総質量、収集時刻の５つのデータが表示される。顧客名ｆ１に触れると、顧客選択画面Ｂに移る。ごみ種ｆ２に触れると、ごみ種選択画面Ｃに移る。正味質量ｆ３に触れると、テンキー画面（図示せず）に移り、テンキーより正味質量を手入力する。総質量ｆ４に触れると、テンキー画面に移り、テンキーより総質量を手入力する。収集時刻ｆ５に触れると、テンキー画面に移り、テンキーより収集時刻を手入力する。このように、手入力によっても編集及び修正が行える。入力後にはそれぞれ編集画面Ｆに戻る。それぞれ確定ボタンｆ６に触れると編集内容が反映され、ＵＳＢメモリ１４に記憶されると共に、計量履歴表示画面Ｅに戻る。戻るボタンｆ７に触れると、計量履歴表示画面Ｅに戻る。
【００４３】
＜メニュー画面Ｇ０＞
図９に示すように、メニュー画面Ｇ０では、計量方法選択ボタンｇ１、計量操作設定ボタンｇ２、印刷・データ表示ボタンｇ３、システム設定ボタンｇ４、マスタデータ編集ボタンｇ５が表示される。計量方法選択ボタンｇ１に触れると、計量方法選択画面Ｇ１に移る。計量操作設定ボタンｇ２に触れると、計量操作設定画面Ｇ２に移る。印刷・データ表示ボタンｇ３に触れると、印刷・データ表示画面Ｇ３に移る。システム設定ｇ４ボタンに触れると、システム設定画面（図示せず）に移る。マスタデータ編集ボタンｇ５に触れると、マスタデータ編集画面（図示せず）に移る。
【００４４】
＜計量方法選択画面Ｇ１＞
図１０に示すように、計量方法選択画面Ｇ１では、登録顧客計量ボタンｇ１１とルート収集計量ボタンｇ１２とが現れる。登録顧客計量ボタンｇ１１を押すと、計量画面として上記計量操作画面Ａが設定される。ルート収集計量ボタンｇ１２を押すと、後述するルート収集計量画面Ｇ４が設定される。
【００４５】
＜計量操作設定画面Ｇ２＞
図１１に示すように、計量操作設定画面Ｇ２では、初期表示画面選択ボタンｇ２１と、計量操作機器選択ボタンｇ２２と、ごみ種操作ボタンｇ２３と、計量データ出力ボタンｇ２４と、ルート収集計量時セル移動方法選択ボタンｇ２５と、計量値入力方法ボタンｇ２６とが現れる。初期表示画面選択ボタンｇ２１に触れると、起動時の表示画面を選択する画面に移り、起動時の表示画面をメニュー画面Ｇ０にするか、計量操作画面Ａにするか、ルート収集計量画面Ｇ４かの選択をする。計量操作機器選択ボタンｇ２２に触れると、タッチパネル１３で操作するか、内部操作器１１ｂで操作するかの選択が行える。通常、タッチパネル１３の操作に設定しておく。ごみ種操作ボタンｇ２３に触れると、計量時のごみ種の操作方法を、計量時に入力するか、固定にするかの選択が行える。同じごみ種のごみのみを収集する場合に、固定にしておくと無駄な入力が省けて便利である。計量データ出力ボタンｇ２４に触れると、計量データの顧客コードの桁数の設定が行える。ルート収集計量時セル移動方法選択ボタンｇ２５に触れると、ルート収集計量時に入力可能なセルの移動を手動にするか、自動にするかを選択できる。計量値入力方法ボタンｇ２６に触れると、計量値を車内指示計１１から受信するか、手入力するかの選択が行える。通常、受信に設定しておく。
【００４６】
＜印刷・データ表示画面Ｇ３＞
図１２に示すように、印刷・データ表示画面Ｇ３では、日報ボタンｇ３１と、ごみ種別ボタンｇ３２と、計量レシートボタンｇ３３と、顧客別ボタンｇ３４とが表示される。日報ボタンｇ３１に触れると、日報データ表示・印刷画面Ｇ３１に移る。ごみ種別ボタンｇ３２に触れると、ごみ種別質量印刷画面Ｇ３２に移る。計量レシートボタンｇ３３を押すと、計量レシート印刷画面Ｇ３３に移る。顧客別ボタンｇ３４を押すと、顧客別印刷画面Ｇ３４に移る。以下の各印刷画面で印刷された紙は、排出事業者に手渡したり、確認の署名をもらったりするのに使用する。
【００４７】
＜日報データ表示・印刷画面Ｇ３１＞
図１３に示すように、日報データ表示・印刷画面Ｇ３１では、日付データ入力ボタンｇ３１１と、確定ボタンｇ３１２とが現れる。日付データ入力ボタンｇ３１１に触れると、画面が変わり、テンキーが現れて日付を入力できる。入力後、日報データ表示・印刷画面Ｇ３１に戻って確定ボタンｇ３１２を押すと、ＵＳＢメモリ１４に記憶されたデータから該当する日付のものが一覧表ｇ３１３に現れる。送りボタンｇ３１４に触れると、頁送りが行われる。印刷ボタンｇ３１５を押すと、プリンタ１５で印刷が行われる。戻るボタンｇ３１６を押すと、印刷・データ表示画面Ｇ３に戻る。
【００４８】
＜ごみ種別質量印刷画面Ｇ３２＞
図１４に示すように、ごみ種別質量印刷画面Ｇ３２では、期間入力ボタンｇ３２１に触れると、画面が変わり、テンキーが現れて希望する日付の期間を入力できる。入力後、ごみ種別質量印刷画面Ｇ３２に戻って確定ボタンｇ３２２を押すと、ＵＳＢメモリ１４に記憶されたデータから該当する期間のものが一覧表ｇ３２３に現れる。送りボタンｇ３２４に触れると、頁送りが行われる。一覧表ｇ３２３の該当するデータに触れると、ごみ種毎に計量値が加算されていく。確定ボタンｇ３２２に触れると、加算結果が表示される。印刷ボタンｇ３２５を押すと、プリンタ１５で印刷が行われる。戻るボタンｇ３２６を押すと、印刷・データ表示画面Ｇ３に戻る。なお、図１４に示すように、袋数をインプット可能にしてもよい。
【００４９】
＜計量レシート印刷画面Ｇ３３＞
図１５に示すように、計量レシート印刷画面Ｇ３３では、計量日入力ボタンｇ３３１、計量時刻入力ボタンｇ３３２が現れる。計量日入力ボタンｇ３３１に触れると、画面が変わり、テンキーが現れて計量した日付を入力できる。入力後、計量レシート印刷画面Ｇ３３に戻る。計量時刻入力ボタンｇ３３２に触れると、画面が変わり、テンキーが現れて計量した時刻を入力できる。入力後、計量レシート印刷画面Ｇ３３に戻る。確定ボタンｇ３３３を押すと、ＵＳＢメモリ１４に記憶されたデータから該当するものが一覧表ｇ３３４に現れる。また、時刻を入力しなければ、指定日分の計量全データが現れる。送りボタンｇ３３５に触れると、頁送りが行われる。印刷ボタンｇ３３６を押すと、プリンタ１５で印刷が行われる。戻るボタンｇ３３７を押すと、印刷・データ表示画面Ｇ３に戻る。
【００５０】
＜顧客別印刷画面Ｇ３４＞
図１６に示すように、顧客別印刷画面Ｇ３４では、期間入力ボタンｇ３４１、顧客入力ボタンｇ３４２が現れる。期間入力ボタンｇ３４１に触れると、画面が変わり、テンキーが現れて計量した期間を入力できる。入力後、顧客別印刷画面Ｇ３４に戻る。顧客入力ボタンｇ３４２に触れると、画面が変わり、顧客選択画面が現れ顧客を入力できる。入力後、顧客別印刷画面Ｇ３４に戻る。確定ボタンｇ３４３を押すと、ＵＳＢメモリ１４に記憶されたデータから該当するものが一覧表ｇ３４４に現れる。送りボタンｇ３４５に触れると、頁送りが行われる。印刷ボタンｇ３４６を押すと、プリンタ１５で印刷が行われる。戻るボタンｇ３４７を押すと、印刷・データ表示画面Ｇ３に戻る。
【００５１】
＜ルート収集計量画面Ｇ４＞
図１７に示すように、ルート収集計量画面Ｇ４では、ルート入力ボタンｇ４１に触れると、画面が変わってルート一覧が現れ、ルートが入力できる。該当するルートを選択すると、ルート収集計量画面Ｇ４に戻り、顧客一覧ｇ４２に顧客一覧が現れる。顧客一覧には顧客名とごみ種が、回収ルート内の回収順に表示され、黒三角の顧客が計量すべき顧客を示す。顧客送りボタンｇ４３で手入力により、顧客を黒三角の位置に移動させることができる。通常は前の収集場所で計量結果の入力が終わると、次の収集場所に入力セルが移動する。計量操作設定画面Ｇ２の計量時のごみ種の操作方法で、計量時に入力するを選択した場合には、顧客一覧ｇ４２のごみ種の所に触れると、ごみ種の入力が可能となる。固定に選択している場合には、触れても入力はできない。計量操作画面Ａと同様に、計量操作をするために、風袋引きボタンｇ４５と、計量ボタンｇ４６と、計量履歴ボタンｇ４７と、メニューボタンｇ４８が表示されている。また、画面上に計量された正味質量と、総質量が表示される。
【００５２】
ルート収集計量では、最初に風袋引きボタンｇ４５を押して風袋引き操作を行う。車内指示計１１に信号を送り、ロードセル１０から送られてくる質量データから荷箱５、塵芥投入ホッパ６の質量を減算して、車内指示計１１の値がリセットされる。次いで、ごみを収集して、塵芥投入ホッパ６から投入する。次いで、塵芥の投入後、計量ボタンｇ４６の操作で計量を行う。次いで、選択された顧客のＵＳＢメモリ１４に前もって登録されたデータに計量データが追加して上書きされる。このようにして、ＵＳＢメモリ１４に回収ルートに沿って順次顧客毎に計量データが蓄積される。ＵＳＢメモリ１４には、事務所に配置したパソコン２０のデータ管理ソフトでそのまま使用できるように整形されたデータが蓄えられる。
【００５３】
＜データ編集作業＞
次に、塵芥収集車２が塵芥の収集を終えた後、事務所に戻った後にデータ編集をする作業について説明する。
【００５４】
まず、ＵＳＢメモリ１４をパソコン２０に接続し、蓄積された計量データを取り込んでデータ管理ソフトで編集する。ＵＳＢメモリ１４内には、顧客コード、ごみ種別コード、計量日付、計量時間、正味質量、風袋質量、総質量の７種類のデータがカンマで区切られた状態で記憶されている。このデータを読み込めば、加工しなくてもデータ管理ソフトでそのまま使用できる。この編集した計量データを元に排出事業者、塵芥の種別毎に課金又は支払いの手続を行う。
【００５５】
−実施形態の効果−
したがって、本実施形態にかかる塵芥計量システム１によると、車内指示計１１にタッチパネル１３を接続し、車内指示計１１に対して風袋引き操作及び計量操作を指示できるようにすると共に、車内指示計１１の計量データと、顧客データと、ごみ種データとを記憶できるようにしたことにより、簡単で安価な構成で収集場所や排出事業者、塵芥の質量等を簡潔且つ正確に記憶することができる。
【００５６】
−実施形態の変形例−
上記実施形態では、質量計測器として、ロードセル１０を設けたが、図１８に示すように、塵芥投入ホッパ６の投入口の下端に設けた回転式テールゲート１０６上に載置した計測器１１０としてもよい。この場合には、計測器１１０の上に容器１０５が載置され、この容器１０５内の塵芥が計量される。この変形例では、少量ずつの計量に適している。
【００５７】
この変形例では、車内指示計１１は、風袋引き操作で計測器１１０で計測された値から容器１０５の質量を削除するように構成されている。そして、計量操作で計測器１１０により容器１０５に投入された塵芥の質量が計量される。その他の動作は上記実施形態と同様である。
【００５８】
なお、以上の実施形態は、本質的に好ましい例示であって、本発明、その適用物や用途の範囲を制限することを意図するものではない。
【図面の簡単な説明】
【００５９】
【図１】塵芥計量システムの概要を表す図である。
【図２】タッチパネルを示し、（ａ）が正面図で、（ｂ）が右側面図である。
【図３】計量操作画面を示す正面図である。
【図４】顧客選択画面を示す正面図である。
【図５】ごみ種選択画面を示す正面図である。
【図６】顧客検索画面を示す正面図である。
【図７】計量履歴表示画面を示し、（ａ）が計量履歴データの一方を示し、（ｂ）は他方を示す。
【図８】編集画面を示す正面図である。
【図９】メニュー画面を示す正面図である。
【図１０】計量方法選択画面を示す正面図である。
【図１１】計量操作設定画面を示す正面図である。
【図１２】印刷・データ表示画面を示す正面図である。
【図１３】日報データ表示・印刷画面を示す正面図である。
【図１４】ごみ種別質量印刷画面を示す正面図である。
【図１５】計量レシート印刷画面を示す正面図である。
【図１６】顧客別印刷画面を示す正面図である。
【図１７】ルート収集計量画面を示す正面図である。
【図１８】実施形態の変形例にかかる塵芥計量システムの概要を表す図である。
【符号の説明】
【００６０】
１      塵芥計量システム
２      塵芥収集車
５      荷箱
１０      ロードセル（質量計測器）
１１      車内指示計（車内計量装置）
１３      タッチパネル
１５      プリンタ（印刷機）
１１０      計測器（質量計測器）
【図１】
2010076927.tif 000003
【図２】
2010076927.tif 000004
【図３】
2010076927.tif 000005
【図４】
2010076927.tif 000006
【図５】
2010076927.tif 000007
【図６】
2010076927.tif 000008
【図７】
2010076927.tif 000009
【図８】
2010076927.tif 000010
【図９】
2010076927.tif 000011
【図１０】
2010076927.tif 000012
【図１１】
2010076927.tif 000013
【図１２】
2010076927.tif 000014
【図１３】
2010076927.tif 000015
【図１４】
2010076927.tif 000016
【図１５】
2010076927.tif 000017
【図１６】
2010076927.tif 000018
【図１７】
2010076927.tif 000019
【図１８】
2010076927.tif 000020